(57)【特許請求の範囲】
【請求項１】
記録媒体に記録された映像／音声ストリームから特徴的なシーンを抽出するシーン抽出手段と、
前記映像／音声ストリームを時間軸に沿って分割する分割手段と、
前記分割手段により分割された前記映像／音声ストリームのうち、前記シーン抽出手段により抽出された前記特徴的なシーンを時間軸に沿って表示画面に表示する表示手段と、
前記分割手段により分割された前記映像／音声ストリームを並列的に出力する出力手段と、
前記出力手段により出力された前記映像／音声ストリームを前記記録媒体から順次消去する消去手段と
を備えることを特徴とする記録再生装置。
【請求項２】
前記分割手段は、分割された前記映像／音声ストリームの再生に要する時間が、其々前記シーン抽出手段により抽出された前記特徴的なシーンの再生時間の合計以下となるように分割すること
を特徴とする請求項１記載の記録再生装置。
【請求項３】
前記分割手段は、前記シーン抽出手段により抽出される前記特徴的なシーンの内、最初に前記表示手段により表示される前記特徴的なシーンの前で少なくとも前記映像／音声ストリームを分割すること
を特徴とする請求項１記載の記録再生装置。
【請求項４】
前記シーン抽出手段は、映像／音声ストリームにおける画像的特徴若しくは音響的特徴に基づいてシーンを抽出すること
を特徴とする請求項１記載の記録再生装置。
【請求項５】
前記分割手段による分割後のストリームには、前記特徴的なシーンを２以上含まないこと
を特徴とする請求項１記載の記録再生装置。
【発明の詳細な説明】
【０００１】
【発明の属する技術分野】
本発明は、映像／音声ストリームの記録再生装置及び記録再生方法に関する。
【０００２】
【従来の技術】
動画や音声などの情報をストリーム形式でハードディスク装置（以下、ＡＶ−ＨＤＤと称す）に記録する製品が出現してきている。ＡＶ−ＨＤＤにおけるディスクは交換不能なメディアであるため、新たな映像情報等（以下、コンテンツと称す）を記録する際にＡＶ−ＨＤＤに十分な空き容量がない場合は、コンテンツを削除して空き容量を増やす必要がある。
【０００３】
一方、ＢＳデジタル放送や、ＣＳデジタル放送などのデジタル放送番組は複製防止のためコピー制御がかけられている。このコピー制御の規格は、いわゆる５Ｃ規格と呼ばれるものであるが、この規格ではコピー制御は大きく分けて、コピー可能、一度だけコピー可能、再コピー不可、コピー不可の4種類で運用されている。ＡＶ−ＨＤＤにコピー制御のかかったコンテンツが記録されている場合においては、そのコンテンツは再コピー不可の状態で記録されている。よって、新たに空き容量を増やす場合には、そのコンテンツを削除するか、もしくは他の録画機器にコピーを作成しつつ、自ＡＶ−ＨＤＤ内に記録されているコンテンツを削除するという移動動作（以下、この移動動作をＭＯＶＥという）を行うという提案がなされている。
【０００４】
ＭＯＶＥ動作においては、自ＡＶ−ＨＤＤに格納されているコンテンツの削除を行いつつ別の機器に記録を行うため、ユーザにはＭＯＶＥの進行状況および、本当にMOVEを行なおうとしているコンテンツかどうかを映像を見ながら確認したいという要求がある。そして、この要求を満たすためにＡＶ−ＨＤＤに記録されたコンテンツを確認しつつ別の機器に映像のＭＯＶＥ動作を行うには、従来からストリーミング転送を行っていた。そのため、従来における上記ＭＯＶＥ動作に要する時間は、ストリーミング転送が行われているコンテンツの再生時間分だけかかり、ユーザは長時間、映像を確認していなければならなかった。
【０００５】
なお、映像の確認時間を短縮すること自体については、例えばハイライトシーンのみを再生するといった方法が提案されている（例えば、特開２００１−３３３３５３号公報参照）。しかしながら、記録時間の短縮については何ら、言及は無い。
【０００６】
【発明が解決しようとする課題】
従来においては、ＡＶ−ＨＤＤのコンテンツを映像を確認しつつ別の機器にＭＯＶＥ動作を行う際の所要時間は、ストリーミング転送を行なっているコンテンツの再生時間だけかかり、ユーザは長時間、映像を確認していなければならなかった。本発明は上述した問題点を解決するためになされたもので、例えばＡＶ−ＨＤＤに記録されたコンテンツを他の機器にＭＯＶＥ動作する際、移動作業中の映像／音声ストリームを確認することが可能であり、かつ短時間でＭＯＶＥ動作を完了することが可能な記録再生装置、及び記録再生方法を提供することを目的とする。
【０００７】
【課題を解決するための手段】
請求項１にかかる記録再生装置は、記録媒体に記録された映像／音声ストリームから特徴的なシーンを抽出するシーン抽出手段と、前記映像／音声ストリームを時間軸に沿って分割する分割手段と、前記分割手段により分割された前記映像／音声ストリームのうち、前記シーン抽出手段により抽出された前記特徴的なシーンを時間軸に沿って表示画面に表示する表示手段と、前記分割手段により分割された前記映像／音声ストリームを並列的に出力する出力手段と、前記出力手段により出力された前記映像／音声ストリームを前記記録媒体から順次消去する消去手段とを備えることを特徴とする。
【０００８】
請求項２にかかる記録再生装置は、請求項１記載の記録再生装置において、前記分割手段は、分割された前記映像／音声ストリームの再生に要する時間が、其々前記シーン抽出手段により抽出された前記特徴的なシーンの再生時間の合計以下となるように分割することを特徴とする。
【０００９】
請求項３にかかる記録再生装置は、請求項１記載の記録再生装置において、前記分割手段は、前記シーン抽出手段により抽出される前記特徴的なシーンの内、最初に前記表示手段により表示される前記特徴的なシーンの前で少なくとも前記映像／音声ストリームを分割することを特徴とする。
【００１０】
請求項４にかかる記録再生装置は、請求項１記載の記録再生装置において、前記シーン抽出手段は、映像／音声ストリームにおける画像的特徴若しくは音響的特徴に基づいてシーンを抽出することを特徴とする。
【００１１】
請求項５にかかる記録再生装置は、請求項１記載の記録再生装置において、前記分割手段による分割後のストリームには、前記特徴的なシーンを２以上含まないことを特徴とする。
【００１４】
【発明の実施の形態】
以下、本発明になる記録再生装置の実施の形態につき、図面を用いて詳細に説明する。
【００１５】
図１は、本発明になる記録再生装置の一実施の形態を示すブロック図である。図中、１はデジタルテレビジョン受像機（以下、デジタルＴＶという）であり、２はＢＳデジタル放送やＣＳデジタル放送等のデジタル放送を受信し受信映像をデコードして出力するストリーム・インタフェース部、３はこのストリーム・インタフェース部２でデコードされた映像／音声信号を再生するモニタ、４は同じくストリーム・インタフェース部２からのデコードされていない映像／音声信号ストリームをコンテンツとして記録するハードディスク装置（以下、ＡＶ−ＨＤＤという）である。さらに、５はデジタルＴＶ１に接続される外部機器とデジタルストリームを送受信するための制御を行うシリアルバス制御部であり、コネクタ６、ＩＥＥＥ１３９４シリアルケーブル７を介して、外部機器とデジタルＴＶ１とを接続可能である。ここでは、外部機器としてＡＶ−ＨＤＤ８が接続されている。９は、デジタルＴＶ１に内蔵された記録再生制御装置であり、この装置９はストリーム入力切換部１０、シーン抽出部１１、コンテンツ分割部１２、機器制御部１３から構成されている。
【００１６】
次に、図１の記録再生装置の動作につき適宜フローチャート等を用いて説明する。説明の都合上、最初にＨＤＤ４に記録されたコンテンツがユーザの指示により再生される場合の動作につき説明する。
【００１７】
ユーザからのコンテンツ再生指示はストリームインタフェース部２に伝達され、ストリーム・インタフェース部２はＨＤＤ４を制御してコンテンツを再生させる。ＨＤＤ４から再生されたストリームは、ストリーム・インタフェース部２でデコードされモニタ３に表示される。ストリーム・インタフェース部２は、同時にシーン抽出部１１にデコードしたストリームを入力する。
【００１８】
シーン抽出部１１は、ストリーム・インタフェース部２からのストリームを入力として特徴的なシーンを抽出する。以下、シーン抽出部１１における動作を示すフローチャートである図２も用いて、このシーン抽出動作について説明する。
【００１９】
まず、コンテンツにおける複数の特徴的なシーンの相対的な開始時刻および終了時刻を格納する変数の配列S start及びS endを初期化し、特徴シーンの個数を代入する変数Snに０を代入して初期化する（ステップＳ１１）。次に、コンテンツの相対的な再生時間の計時を開始する（ステップＳ１２）。さらに、現在入力されているストリームの現在時刻における部分が特徴的なシーンか否かを判断する（分類分けを実施）（ステップＳ１３）。なお、このシーン抽出については，さらに詳細を後述する。
【００２０】
ステップＳ１４では、ステップＳ１３での分類分けの結果を用いてストリームの現在時刻における部分が特徴的なシーンか否かが判断される。特徴的なシーンではない場合、ストリームが終了したかどうか判断され（ステップＳ１５）、ストリームが終了している場合は処理を終了する。一方、ストリームが終了していない場合は、ステップＳ１３に戻る。ステップＳ１４にて特徴的なシーンであるとされた場合（ステップＳ１４で「Ｙｅｓ」）は、特徴的なシーンが始まったものと判断し、Snに１を加算した上で、ステップＳ１１にて初期化した特徴シーン記録変数配列S startのSn番目の要素にステップＳ１２で計時を開始した時刻を代入する。すなわち、特徴シーンの開始時刻を記録する（ステップＳ１６）。
【００２１】
次に、引き続きシーン抽出を行い（ステップＳ１７）、この結果に基づき特徴シーンかどうかの判断を行い（ステップＳ１８）、特徴シーンである場合はストリームが終了したかどうかを判断し（ステップＳ１９）、ストリームが終了している場合はストリームの終了した時点での相対時刻を特徴シーン終了時刻としてS endのSn番目の要素に記憶して（ステップＳ２０）、処理を終了する。ステップＳ１９にてストリームが終了していないと判断された場合には、ステップＳ１７に戻る。一方、ステップＳ１８において特徴的なシーンではないと判断された場合は、特徴的なシーンが終了したものと判断し相対時刻を特徴シーン終了時刻としてS endのSn番目の要素に記憶する（ステップＳ２１）。その後、ストリームが終了したかどうかの判断を行い（ステップＳ２２）、ストリームが終了した場合は処理を終了し、ストリームが終了していない場合はステップＳ１３に戻る。
【００２２】
次に図２のフローチャートにおけるシーン抽出動作（ステップＳ１４及びＳ１７）について図３に示すフローチャートを用いて詳細に説明する。この図３に示すフローチャートは、特徴的なシーンかどうかの判断をストリームの音量によって自動的に行なう例である。
【００２３】
まず、ある一定時間内の音量値を加算するための変数を初期化し（ステップＳ３１）、時間の計測を開始する（ステップＳ３２）。次に現在の入力ストリームの音量を計測し（ステップＳ３３）、その値をステップＳ３１で初期化した値に加算する（ステップＳ３４）。さらに、予め定められた時間、たとえば、１秒が経過したかどうかを判断し（ステップＳ３５）、経過していない場合はステップＳ３３に戻る。一方、１秒間が経過した場合は、１秒間に計測した音量の合計値を代入した変数が予め与えられた値よりも大きいかどうかを判断する（ステップＳ３６）。ここで条件が真である場合は、この１秒間のシーンは特徴シーンであると設定し（ステップＳ３７）、条件が偽である場合は、この１秒間のシーンは特徴シーンではないと設定して（ステップＳ３８）、処理を終了する。
【００２４】
以上から、図２及び図３に示すフローチャートの処理が終了すると、複数の特徴シーンの開始時刻および終了時刻が記憶されることになる。図４（Ａ）は、コンテンツにおける特徴的なシーンの抽出結果の概略図で、特徴シーンが４個（Ｓ１乃至Ｓ４）抽出されたことを示す図である。
【００２５】
上記実施の形態では、音量を用いて特徴シーンを抽出する例を示したが、特徴シーンの抽出はユーザからの特徴シーンの開始、終了の指示に基づいて行っても良いし（既に記録時等に特徴シーンの時間的位置を把握している場合等）、画像処理技術を用いて画像が頻繁に切り換わる部分を認識して抽出しても良い。
【００２６】
次に、ユーザからの指示によりＨＤＤ４のコンテンツに対しMOVE動作を行なう場合の流れを図１に戻って説明する。録画制御装置９のコンテンツ分割部１２は、ユーザからのMOVEの指示を受けると、シーン抽出部１１に記録された特徴シーンの開始時刻および終了時刻を取得し、コンテンツを複数のコンテンツに分割する。そして機器制御部１３は、コンテンツ分割部１２で分割処理した複数のコンテンツを特徴シーンが重なることがないように再生するようＨＤＤ４を制御する。また、シリアルバス制御部５に複数のストリームを並列に出力するように指示を出し、さらに外部機器であるＨＤＤ８に複数のストリームを並列に録画するように録画指示を出す。シリアルバス制御部５は、機器制御部１３からの指示により、ＩＥＣ６１８８１−１に規定されるＣＭＰ（Connection Management Procedure）に則り、デジタルＴＶ１とＨＤＤ８との間に単数もしくは複数のPoint to Pointコネクションを確立し、それぞれのコネクションに対して、ストリーム・インタフェース部２を介してＨＤＤ４からの再生ストリームをアイソクロナス（Isochronous）ストリームに変換し、同ストリームを出力する。また、シリアルバス制御部５は、AV/C General CommandおよびAV/C Disc Subunit Commandを用いてＨＤＤ８での録画開始の制御を行う。ストリーム・インタフェース部２はＨＤＤ４からの再生ストリームをシリアルバス制御部５及びモニタ３に出力する。
【００２７】
ＨＤＤ４はＭＯＶＥのための再生指示を受け付けると、再生ストリームをストリーム・インタフェース部２に出力すると共に、コンテンツ内の再生した部分を消去、もしくは、再生できないように制御をかける。一方、ストリーム入力切換部１０は、ストリーム・インタフェース部２に対し、このストリーム・インタフェース部２に入力されている複数のストリームをデコードし、前記シーン抽出部１１で抽出した特徴シーンの開始時刻情報に基づき、上記デコードしたストリームをモニタ３に出力するよう出力切換の指示を出す。
【００２８】
次に上述したコンテンツ分割動作についてフローチャートも用いて詳細に説明する。図５は、コンテンツ分割部１２におけるコンテンツ分割処理のフローチャートの一部（前半部）である。このフローチャートの前半部に示す処理は、コンテンツを分割した際に先に抽出された特徴シーンが重ならないよう分割位置を定めることにある。
【００２９】
コンテンツ分割は、まず、コンテンツを分割するための時刻を格納する変数配列Csを初期化する（図５のステップＳ４１）。なお、以下、「時刻」とはコンテンツの先頭を０とした相対時刻を表す。次にステップＳ４２にて、Csの先頭の要素（Cs[０]）にコンテンツの先頭時刻である０を代入し、Cs[１]に特徴シーンＳ１（図４（Ａ）参照）の開始時刻S start[１]を代入する。さらに特徴シーンの総数Snが１よりも大きいかどうか判断し（ステップＳ４３）、判断結果が偽である場合は分割コンテンツの番号（順番）をあらわす変数Cnに１を代入し（ステップＳ４４）、判断の結果が真である場合は、Cnに２を代入する（ステップＳ４５）。続いて、仮の変数Ct endに特徴シーンSCn−１の終了時刻S end[Cn−１]を代入し（ステップＳ４６）、仮の変数Ct startに特徴シーンCnの開始時刻S start[Cn]から、特徴シーンＳ１から特徴シーンＳCnまでのそれぞれのシーンの継続時間（例えば、特徴シーンＳ１については、S end[１]−S start[１]）の和を引いた値を代入する（ステップＳ４７）。
【００３０】
次に、ステップＳ４６及びステップＳ４７で算出したCt endとCt startについて、Ct startがCt endよりも大きいかどうか判断し（ステップＳ４８）、判断結果が真の場合は、Cs[Cn]にCt startを代入し（ステップＳ４９）、判断結果が偽の場合は、Cs[Cn]にCt endを代入する（ステップＳ５０）。ステップＳ４９及びステップＳ５０に続いて、Cnが特徴シーンの個数Snよりも小さいかどうかを判断し（ステップＳ５１）、ここで判断結果が真の場合はCnに１を加え（ステップＳ５２）、ステップＳ４６に戻る。一方、ステップＳ５１での判断結果が偽の場合は、Cs[Cn＋１]にストリームの終了時刻を代入する（ステップＳ５３）。
【００３１】
図４（Ｂ）は、上記ステップＳ４１からステップＳ５３までのステップで作成されるコンテンツ分割時刻Csの位置を表した概念図である。図４（Ｂ）の例では、Cnの値は４である。すなわち、図５のフローチャートに示すコンテンツ分割処理では、特徴シーンＳ２の前の区間２１の時間間隔（図４（Ｂ）参照）が特徴シーンＳ１の継続時間以下に、特徴シーンＳ３の前の区間２２の時間間隔が特徴シーンＳ１及びＳ２の継続時間の和以下に、特徴シーンＳ４の前の区間２３の時間間隔が特徴シーンＳ１乃至Ｓ３の継続時間の和以下になるように、コンテンツの分割を行なったことになる。
【００３２】
引き続きコンテンツ分割動作について説明する。図６は、コンテンツ分割部１２におけるコンテンツ分割処理のフローチャートの一部（後半部）である。このフローチャートの後半部の処理は、分割コンテンツを並列に再生した際に、特徴シーンのうち最後に再生される特徴シーン（実施の形態ではＳ４）の再生終了時刻以前にどの分割コンテンツも再生終了となるよう分割位置を設定することにある。
【００３３】
まず、仮の変数D lengthに特徴シーンＳ１（図４（Ａ）参照）から特徴シーンＳSnまでのそれぞれのシーンの継続時間の和を代入し（ステップＳ５４）、仮変数mを０に初期化する（ステップＳ５５）。図５のステップＳ４１からステップＳ５３までで計算した、コンテンツ分割時刻を格納する配列Csを用い、Cs[ｍ＋１]とCs[ｍ]との差がD lengthよりも大きいかどうか判断する（ステップＳ５６）。この判断が真の場合は、Cs[Cn＋２]にCs[ｍ]とD lengthを加えた値を代入し（ステップＳ５７）、さらにCnに１を加算し（ステップＳ５８）、Cs[１]からCs[Cn＋１]を時刻順に並べ替え、Cs[１]からCs[Cn＋１]までの配列を作成し直し（ステップＳ５９）、ステップＳ５５に戻る。一方、ステップＳ５６での判断が偽の場合、mがCn−１よりも小さいかどうか判断し（ステップＳ６０）、このステップＳ６０の結果が真である場合、mに１を加算し（ステップＳ６１）、ステップＳ５６に戻る。一方、ステップＳ６０での判断結果が偽である場合、Cs[１]からCs[Cn＋１]を時刻順に並べ替え、Cs[１]からCs[Cn＋１]までの配列を作成し直し（ステップＳ６２）、処理を終了する。
【００３４】
図４（Ｃ）は、図４（Ｂ）で示した分割コンテンツに対して、図６におけるステップＳ５４からステップＳ６１を適用した結果のコンテンツ分割の例を示す。図４（Ｃ）では、コンテンツがＣ１からＣ６に示した６つに分割される例を示している。すなわち、図６のフローチャートに示すコンテンツ分割処理では、特徴シーンを含まない分割コンテンツＣ１の区間２４の時間間隔（図４（Ｃ）参照）が特徴シーンＳ１乃至Ｓ４の継続時間の和以下に、特徴シーンＳ１の後の区間２５の時間間隔が特徴シーンＳ２乃至Ｓ４の継続時間の和以下に、特徴シーンＳ２の後の区間２６の時間間隔が特徴シーンＳ３及びＳ４の継続時間の和以下に、特徴シーンを含まない分割コンテンツＣ４の区間２７の時間間隔が特徴シーンＳ１乃至Ｓ４の継続時間の和以下になるように、コンテンツの分割を行なったことになる。
【００３５】
次に、機器制御部１３の動作につき図７のフローチャートに基づき説明する。まず、各分割コンテンツの相対的な再生時刻を格納する変数配列DC startをすべて０に初期化する（ステップＳ７１）。さらに特徴シーンの個数Snが１より大きいかどうか判断し（ステップＳ７２）、判断結果が偽の場合はステップＳ８１に分岐し、判断結果が真の場合は、仮変数ｏに２を代入する（ステップＳ７３）。つづいて、特徴シーンSｏの開始時刻が含まれる分割コンテンツを検索してその番号をｐに代入する（ステップＳ７４）。さらに、特徴シーンＳ1から特徴シーンＳo−１までのそれぞれの継続時間（たとえば、特徴シーンＳ１では、S end[１]からS start[１]を引いた値が継続時間である）を合計した値をDD lengthに代入し（ステップＳ７５）、該分割コンテンツｐの開始時刻から該特徴シーンｏの差を計算し、仮変数DS timeに代入する（ステップＳ７６）。ステップＳ７５およびステップＳ７６で算出したDD lengthとDS timeを用い、DD lengthがDS timeよりも大きいかどうか判断し（ステップＳ７7）、判断結果が真の場合は、相対的な再生時刻を格納する変数配列DC startのp番目の要素DC start[p]にDD lengthからDS timeを減算した値を代入し（ステップＳ７８）、判断結果が偽の場合は、ステップＳ７９に分岐する。ステップＳ７９では、仮変数ｏに１を加算する。
【００３６】
次に、Snがｏよりも大きいかどうか判断し（ステップＳ８０）、判断結果が偽である場合は、ステップＳ７４に戻り、判断結果が真である場合は、ステップＳ８１に移る。このステップＳ８１ではＨＤＤ８に対してCn個の分割コンテンツの再生ストリームを出力し、それらすべてを録画させるようシリアルバス制御部５に指示を出す。次に、分割コンテンツそれぞれを、DC startに指定された相対時刻になったら、Csの位置から再生するようにＨＤＤ４を制御して（ステップＳ８２）、処理を終了する。
【００３７】
図７のフローチャートに示す動作を行なう機器制御部１３が分割コンテンツをＭＯＶＥする際に再生するストリームの概念図を図８（Ａ）に示す。図８（Ａ）では横軸に時間軸を取っている。ここでは、特徴シーンがＳ１からＳ４の４個で、分割コンテンツの数がＣ１乃至Ｃ６の６個の場合を示している。この図８から、特徴シーンＳ１からＳ４は再生時に時間軸に沿って重なることがないことが分かる。
【００３８】
次に、特徴シーンを連続して確認するために必要な再生切換を行なうためのストリーム入力切換部１０の詳細動作につき、図９及び図１０に示すフローチャートを用いて説明する。なお、図９は上記切換部１０の動作の前半部を、図１０は同後半部を示す。
【００３９】
まず、分割コンテンツを並列に再生している再生時間を計測する変数P timeを初期化し、時間の計測を開始する（ステップＳ９１）。次に、各分割コンテンツのそれぞれに対して、ストリーム・インタフェース部２に入力切換指示を出力する時刻を格納する変数配列DP timeを初期化し（ステップＳ９２）、仮変数ｑに１を代入する（ステップＳ９３）。分割コンテンツｑの内部に特徴シーンＳ１から特徴シーンSnまでのうちのどれが存在するかどうかを判断する（ステップＳ９４）。この判断結果が偽の場合、ステップＳ９７に分岐する。一方、ステップＳ９４での判断結果が真の場合、分割コンテンツｑ内に存在する特徴シーンの番号をｒに代入する（ステップＳ９５）。続いて、入力切換指示を出力する時刻を格納する変数配列DP timeのq番目の要素に、（特徴シーンｒの開始時刻S start[ｒ]−分割コンテンツｑの開始時刻Cs[ｑ]＋分割コンテンツｑの再生開始時刻DC time[ｑ]）を代入し、入力切換時刻を設定し（ステップＳ９６）、仮変数ｑに１を加える（ステップＳ９７）。次にｑが分割コンテンツの数Cnよりも大きいかどうか判断し（ステップＳ９８）、ここでの判断結果が偽の場合は、ステップＳ９４に分岐する。一方、判断結果が真の場合、図１０のステップＳ９９に示すように仮変数ｔに１を代入し、初期化する。さらに、DP timeのｔ番目の要素が初期値のままであるかどうか判断し（図１０のステップＳ１００）、ここでの判断結果が真の場合は、ステップＳ１０３に分岐する。一方、判断結果が偽である場合、DP time[ｔ]とP timeが等しいかどうか判断し（ステップＳ１０１）、判断結果が偽である場合はこのステップＳ１０１を繰り返す。一方、判断結果が真の場合は、ストリーム・インタフェース部２に対して、モニタ３に出力されている分割コンテンツをｔ番目のものに切換える指示を出し（ステップＳ１０２）、ｔに１を加える（ステップＳ１０３）。次にｔが分割コンテンツの個数Cnより大きいかどうか判断し（ステップＳ１０４）、判断結果が偽の場合はステップＳ１０１に分岐し、判断結果が真の場合は処理を終了する。
【００４０】
図８（Ｂ）は、図１０に示すフローチャートの動作が行われるストリーム入力切換部１０によってモニタ３で再生される選択再生映像を示す。すなわち、モニタ３には、図８（Ｂ）の３１で示すように、特徴シーンＳ１から特徴シーンＳ４までが連続して再生されることになる。
【００４１】
以上述べたように本実施の形態によれば、ＨＤＤ４に記録された一つのコンテンツを複数のコンテンツに分割し、それぞれをほぼ同時にＭＯＶＥ作業を行うことができるので、ＭＯＶＥ作業に要する時間をコンテンツ全体を再生する場合にかかる時間よりも短くできる。また、ＭＯＶＥ動作を指示したユーザは、コンテンツの特徴的なシーンのダイジェストを見ることができるので、ＭＯＶＥ作業の確認が出来、ＭＯＶＥ作業に伴うミスを無くすことが出来る。
【００４２】
【発明の効果】
以上述べたように本発明によれば、ある機器に記録されたコンテンツを別の機器に移動動作させる際、移動作業中の映像／音声ストリームを確認することが可能であり、かつ上記移動動作を短時間で完了することが可能な記録再生装置を提供することが出来、有用である。
【図面の簡単な説明】
【図１】  本発明になる記録再生装置の実施の形態の一例を示すブロック図。
【図２】  図１の装置のシーン抽出部１１における動作を説明するためのフローチャート。
【図３】  図２のフローチャートの中のシーン抽出についての詳細フローチャート。
【図４】  コンテンツからの特徴的なシーンの抽出、コンテンツの分割を説明するための概略図
【図５】  図１のコンテンツ分割部１２におけるコンテンツ分割処理のフローチャートの一部。
【図６】  図１のコンテンツ分割部１２におけるコンテンツ分割処理のフローチャートの一部。
【図７】  図１の機器制御部１３の動作を説明するためのフローチャート。
【図８】  分割コンテンツをＭＯＶＥする際に再生するストリームの概念図。
【図９】  図１のストリーム入力切換部１０の動作を説明するためのフローチャートの一部。
【図１０】  図１のストリーム入力切換部１０の動作を説明するためのフローチャートの一部。
【符号の説明】
２：  ストリーム・インタフェース部
３：  モニタ
４：  ＡＶ−ＨＤＤ
５：  シリアルバス制御部
８：  外部ＡＶ−ＨＤＤ
１０：  ストリーム入力切換部
１１：  シーン抽出部
１２：  コンテンツ分割部
１３：  機器制御部
【図１】
0003859542.tif 000002
【図２】
0003859542.tif 000003
【図３】
0003859542.tif 000004
【図４】
0003859542.tif 000005
【図５】
0003859542.tif 000006
【図６】
0003859542.tif 000007
【図７】
0003859542.tif 000008
【図８】
0003859542.tif 000009
【図９】
0003859542.tif 000010
【図１０】
0003859542.tif 000011